(57)【要約】      （修正有）【課題】日常生活に支障なく装着して、外反拇指を矯正する脚の指カバー構造の提供。【解決手段】主カバー２０、副カバー３０、及び二つのカバーの間に位置するパッド４０によって構成される指カバーであり、該主カバー及び副カバーは、表層及び表層の内側面に付設した弾性樹脂層からなり、それぞれ矯正すべきつま先親指と人差し指に対応して形成され、パッドはこれらの中間に位置して緩衝弾力性を具えた弾性樹脂クッションとして機能するパッドであって二つの指の間に位置し、主カバー及び副カバーが患部の指を覆うと共に定位作用を具え、さらに患部を矯正し、外反足の現象の発生を予防することを可能とする。【選択図】図２
0003119178.tif 000002
【実用新案登録請求の範囲】
【請求項１】
主カバー、副カバー、及び二つのカバーの間に位置するパッドによって構成される指カバーであり、
該主カバー及び副カバーは、表層及び表層の内側面に付設した弾性樹脂層からなり、それぞれ矯正すべきつま先親指と人差し指に対応して形成され、パッドはこれらの中間に位置して緩衝弾力性を具えた弾性樹脂クッションとして機能するパッドであって二つの指の間に位置し、主カバー及び副カバーが患部の指を覆うと共に定位作用を具えて外反拇指を矯正し、これらの変形を予防することを可能とする。
脚の指カバー構造。
【請求項２】
該主カバーと副カバーが全カバータイプ又は指あきタイプであることを特徴とする請求項1に記載の脚の指カバー構造。
【請求項３】
主カバーと副カバーの前面に脚の平の前部の形状に適合する足裏パッドを設けてなることを特徴とした請求項1に記載の脚の指カバー構造。
【考案の詳細な説明】
【技術分野】
【０００１】
本考案は、足の指の部分に装着して、足の指を保護することで、足の指の異常な湾曲によってなる外反足の状態を矯正するつま先カバー構造である。
【背景技術】
【０００２】
いわゆる「脚の指の外反畸形」とは、人体の足の指部分における異常な湾曲し、偏った方向に向いてしまい、二つの指が交差して相互に折り畳み合う内外反足現象のことを指している。脚の指の外反畸形となる原因は、先天的な遺伝子が引き起こす遺伝による結果の他に、後天的な要因として長期に渡る脚部に対する圧迫による足裏の関節脱臼が挙げられ、臨床医学上比較的によく見かけられる症状は指の付け根の骨部の突出であり、そのため、脚の指の外反畸形の患者は日常生活中において大変な不便と困惑を被ることになる。
【０００３】
上述の病状を改善するために、患者は手術による治療といったような医療の方法を選択する以外に、いくらかの脚の指の外反を矯正する矯正器具を選択することも可能である。其の中で（図1を参照）該矯正器10の構造は一端に指カバー11を設置してなり、脚指を固定することを可能とし、同時に矯正器10のもう一方の端には牽引帯12を設置することにより引っ張り力を発生させる。
該矯正器10が引っ張られることにより拇指サック11に及ぼされた横方向の引っ張り力はつま先の矯正に用いることが可能であり、内外反足の現象を予防する。ただ、該矯正器10は医療用リハビリ用品に属するため、特定のリハビリの施療中において使用されるものであり、患者は日常生活または通常靴を履いてする状況の中で使用することは出来ない。そのため、使用範囲及び効果は制限される。
【特許文献１】特開２００２−５２０３９号公報
【考案の開示】
【考案が解決しようとする課題】
【０００４】
本考案の目的は公知の装置の不備に対して脚の指の矯正カバーを提供し、人体が装着する際に脚の指を保護し、脚指の異常な湾曲によって生じる外反足の現象を予防する。
本考案の創作が創作目的である技術手段の運用、さらに構造の特徴は、図に示される好ましい実施例と組み合わせてなる。詳細説明は以下の通りである。
【課題を解決するための手段】
【０００５】
上述の目的を達成するため、本考案が提供する脚の指のカバー構造は図2に示されるように、主カバー20、副カバー30、そして主カバー20と副カバー30の間にある中間クッション40等の構造を含めた物によってなり、
または、（図7に示されるように）主カバー20の前面に脚の平の前部の形状に適合する形状の足裏パッド50を設置してなる構造の物のものからなる。
【０００６】
主カバー20（図3、4を参照）は布地によって作成された表層21と該表層21の内側面に付設する弾性を具えた弾性樹脂層22を含めたものであり、人体の脚の指に装着することが可能である。
【０００７】
副カバー30（図3、4を参照）は主カバー20の隣に設置されてなり、該副カバー30は布地によって作成された表層31と表層31の内側面に付設する弾性を具えた弾性樹脂層32を含めたものであり、同じく人体の脚の指に装着が可能である。
【０００８】
中間クッション40（図3、4を参照）は主カバー20または副カバー30の傍に設置されてなり、緩衝弾力性を具えた弾性樹脂層によってなり、
足裏パッド50（図7を参照）は主カバー20の前面に脚の平の前部の形状に符合する形状のパッド体によってなり、
該中間クッション50は脚の平を折り曲げる時の脚の平に対し柔軟性と快適性を提供する。
【考案の効果】
【０００９】
本考案は、主カバー20等の設計によって足に指の保護及び足の指の異常な湾曲によって生じる外反母趾現象を防止する足の指カバーを提供するものであり、従来の同種機器の有していた問題を確実に解消する。
【考案を実施するための最良の形態】
【００１０】
図5に示されるように、本考案を実施する際は主カバー20を患部の指に装着（一般的には脚の親指が患部の指となるが、他の指でも装着可能）されてなり、副カバー30は患部の指に隣り合う指に装着されてなり、主カバー20と副カバー30の装着完了後に該中間クッション40は二つの指の隙間に位置する。
【００１１】
これによって、患部の指に装着される主カバー20、其の指カバーは副カバー30と隣り合う脚の指の装着され、定位関係を具えており、特に中間クッション40の位置は患部の指と隣り合う脚の指の隙間に位置しており、患部の指は緩衝弾性を具えた中間クッション40によって外反足の現象の発生を防止している。
【００１２】
また主カバー20、副カバー30の内側面には弾性樹脂層22、32が備えられているため、脚に指に対して包み込み、衝撃を緩和し、固定箇所にかかる圧力によって生じる不快感を軽減する。其の他に、本考案の脚の指カバーは単独に装着可能のほかに、装着後さらに靴下、または靴の着用が可能であり、これによって、患者が日常生活において、或いは普段靴を履く時でも患部を矯正することが可能となり、矯正の有効なる目的に達する。
【００１３】
また、本考案の主カバー20、副カバー30は図2に示される全カバータイプの実施状況のほかに、図6に示される指あきタイプの実施も可能、二つ共に上述のとおりの効果を達成することが出来る。
【００１４】
其の他に、（図7を参照）本考案は主カバー20と副カバー30の前面に脚の平の前部の形状に符合する足裏パッド50が設置してなり、それによって脚の平を折り曲げる際により良い快適性を提供することが可能である。
【００１５】
また、その運用の技術と手段及び構造は本考案発明者によって研究、発明されたものによってなる。
【００１６】
其の他に、本考案の上述の構造は好ましい実施例を示したのみであり、本考案の創作の構造からなる効果の変化も本考案の請求する特許範囲に含まれる。
【図面の簡単な説明】
【００１７】
【図１】公知の矯正器構造及び使用見取り図である。
【図２】本考案の立体構造図である。
【図３】本考案の平面構造図である。
【図４】図３のＩ-Ｉの解剖観察構造図である。
【図５】本考案の使用見取り図である。
【図６】本考案のもう１つの実施例見取り図である。
【図７】本考案が足底パッドと組み合わさる時の見取り図である。
【符号の説明】
【００１８】
10矯正器
11拇指サック
12牽引帯
20主カバー
21表層
22弾性樹脂層
30副カバー
31表層
32弾性樹脂層
40中間クッション
50足裏パッド
【図１】
0003119178.tif 000003
【図２】
0003119178.tif 000004
【図３】
0003119178.tif 000005
【図４】
0003119178.tif 000006
【図５】
0003119178.tif 000007
【図６】
0003119178.tif 000008
【図７】
0003119178.tif 000009